(57)【要約】【課題】現金処理装置の操作を効率化し、操作に要する労力を軽減すること。【解決手段】ＰＯＳレジ２０は、キャッシュアウト金額の入力を受け付けるとともに（Ｓ１）、チャージ金額の入力を受け付ける（Ｓ２）。そして、デビットカードからデビットカードＩＤを読み取り（Ｓ３）、デビットカードＩＤと決済金額とを含む決済要求を管理サーバ１００に送信する（Ｓ４）。決済要求を受けた管理サーバ１００は、決済金額を預金口座から引き落とし、決済許可をＰＯＳレジ２０に送信する（Ｓ５）。ＰＯＳレジ２０は、管理サーバ１００から決済許可を受信すると、電子マネーのチャージ（Ｓ６）を行い、釣銭機３０にキャッシュアウト金額分の出金指示を送信し（Ｓ７）。釣銭機３０が出金指示を受けて現金を払い出す（Ｓ８）。【選択図】図１
2020013240.tif 000002
【特許請求の範囲】
【請求項１】
電子決済に応じ、現金を払い出すための処理を行う現金処理装置において、
第１の取引に関する金額である第１の金額と、第２の取引に関する金額である第２の金額と、を取得する取得部と、
記録媒体に有価価値を付与する付与部と、
前記現金を払い出す払出部と、
前記取得部が取得した第１の金額および第２の金額に基づき、前記付与部を介し前記記録媒体に対し付与する有価価値と、前記払出部を介し払い出す現金の金額と、を制御する制御部と
を備えることを特徴とする現金処理装置。
【請求項２】
前記第２の金額とは、前記付与部を介し付与する有価価値であり、
前記第２の金額の入力を受け付ける入力受付部を更に備え、
前記取得部は、前記入力受付部を介し、前記第２の金額を取得する
ことを特徴とする請求項１記載の現金処理装置。
【請求項３】
前記記録媒体に対し付与する有価価値、又は、前記払出部を介し払い出す現金の金額の少なくとも一つについての承認操作を受け付けるための承認受付部を更に備え、
前記制御部は、前記承認受付部を介して前記承認操作を受け付けたことを条件に、前記付与部を介し記録媒体に対し有価価値を付与し、前記払出部を介し現金を払い出す
ことを特徴とする請求項１又は２記載の現金処理装置。
【請求項４】
前記記録媒体を検知する検知部を更に備え、
前記制御部は、前記検知部を介し前記記録媒体を検知した場合に、前記付与部を介し、当該記録媒体に対し有価価値を付与する
ことを特徴とする請求項１ないし３のいずれか一項記載の現金処理装置。
【請求項５】
前記制御部は、前記検知部が前記記録媒体を検知しない状態にあっては、所定の報知を行うよう報知制御することを特徴とする請求項４記載の現金処理装置。
【請求項６】
当該現金処理装置は、利用者が購入する商品の商品金額も含んで電子決済を行うことが可能である、
ことを特徴とする請求項１ないし５いずれか一項記載の現金処理装置。
【請求項７】
電子決済に応じ、現金を払い出すための処理を行う現金処理システムにおいて、
第１の取引に関する金額である第１の金額と、第２の取引に関する金額である第２の金額と、を取得する取得部と、
記録媒体に有価価値を付与する付与部と、
前記現金を払い出す払出部と、
前記取得部が取得した第１の金額および第２の金額に基づき、前記付与部を介し前記記録媒体に対し付与する有価価値と、前記払出部を介し払い出す現金の金額と、を制御する制御部と
を備えることを特徴とする現金処理システム。
【請求項８】
電子決済に応じ、現金を払い出すための処理を行う現金処理方法であって、
第１の取引に関する金額である第１の金額と、第２の取引に関する金額である第２の金額と、を取得する取得ステップと、
前記取得ステップで取得した第１の金額および第２の金額に基づき、記録媒体に対し付与する有価価値と、払い出す現金の金額と、を制御する制御ステップと、
前記制御ステップによる制御に基づき前記記録媒体に有価価値を付与する付与ステップと、
前記制御ステップによる制御に基づき前記現金を払い出す払出ステップと
を含むことを特徴とする現金処理方法。
【請求項９】
電子決済に応じ、現金を払い出すための処理をコンピュータに実行させる現金処理プログラムであって、
第１の取引に関する金額である第１の金額と、第２の取引に関する金額である第２の金額と、を取得する取得手順と、
前記取得手順で取得した第１の金額および第２の金額に基づき、記録媒体に対し付与する有価価値と、払い出す現金の金額と、を制御する制御手順と、
前記制御手順による制御に基づき前記記録媒体に有価価値を付与する付与手順と、
前記制御手順による制御に基づき前記現金を払い出す払出手順と
をコンピュータに実行させることを特徴とする現金処理プログラム。
【発明の詳細な説明】
【技術分野】
【０００１】
本発明は、電子決済に応じ、現金を払い出すための処理を行う現金処理装置、現金処理システム、現金処理方法及び現金処理プログラムに関する。
【背景技術】
【０００２】
従来、コンビニエンスストアやスーパーマーケット等の各種店舗には、現金に係る処理を行う現金処理装置が設置されている。現金処理装置は、販売時点管理機能を有する金銭登録機（以下、「ＰＯＳレジ」と言う）と、貨幣処理装置（以下、「釣銭機」と言う）とを通信可能に接続した構成を有することが多い。例えば、店員がＰＯＳレジのバーコードリーダにより商品に付されたバーコードを読み取って商品の価格を特定するとともに、店員が顧客から受け取った貨幣を釣銭機に投入すると、該釣銭機から釣銭が出金される。
【０００３】
また、現金処理装置が電子決済に対応している場合には、特定した商品の価格分の決済を電子決済により行うことができる。電子決済には、デビット決済、クレジット決済、電子マネー決済等が含まれる。
【０００４】
さらに、このような商品購入の決済用途に加え、ＰＯＳレジ及び釣銭機を他の用途に用いることも考えられている。例えば、特許文献１は、顧客のデビットカードを用いて、顧客の銀行の預金口座から引き落とした現金を顧客に提供することができるキャッシュアウト処理システムを開示している。かかるキャッシュアウト処理システムは、顧客が購入する商品とともに、レジカウンタに持参した商品札からキャッシュアウトを希望する金額を読み取り、読み取った金額と、顧客が購入する商品の差額にあたる現金を、現金決済端末から払い出すことができる。
【先行技術文献】
【特許文献】
【０００５】
【特許文献１】特許第４２１０６８８号
【発明の概要】
【発明が解決しようとする課題】
【０００６】
しかしながら、従来の技術では、現金処理装置の操作が煩雑になる場合があるという問題点があった。例えば、利用者がキャッシュアウトにより払い出された現金の一部を電子マネーに加算（チャージ）したいと希望するならば、キャッシュアウトに係る操作を行った後、さらに電子マネーのチャージに係る操作を行う必要が生じる。
【０００７】
具体的には、店員が現金処理装置を操作するケースであれば、利用者は、チャージしたい金額に相当する金額を含んだ現金と電子マネーを関連付けるＩＣ（Integrated Circuit）カードとを店員に渡し、店員がＰＯＳレジを介してＩＣカードに顧客がチャージしたい金額をチャージするための操作を行うことになる。すなわち、現金の払出およびＩＣカードへのチャージのための２度に渡る操作が必要となり、手間が大きく、煩わしい。この問題は、利用者自身が現金処理装置を操作するケースであっても同様に生じるものであり、利用者は現金の払出のための操作とＩＣカードへのチャージのための操作をそれぞれ行うことになる。
【０００８】
これらのことから、現金処理装置の操作をいかに効率化し、操作に要する労力を軽減するかが重要な課題となっている。
【０００９】
本発明は、上記の課題を解決するためになされたものであり、効率的な操作が可能な現金処理装置、現金処理システム、現金処理方法および現金処理プログラムを提供することを目的とする。
【課題を解決するための手段】
【００１０】
上述した課題を解決し、目的を達成するため、本発明は、電子決済に応じ、現金を払い出すための処理を行う現金処理装置において、第１の取引に関する金額である第１の金額と、第２の取引に関する金額である第２の金額と、を取得する取得部と、記録媒体に有価価値を付与する付与部と、前記現金を払い出す払出部と、前記取得部が取得した第１の金額および第２の金額に基づき、前記付与部を介し前記記録媒体に対し付与する有価価値と、前記払出部を介し払い出す現金の金額と、を制御する制御部とを備えることを特徴とする。
【００１１】
また、本発明は、上記発明において、前記第２の金額とは、前記付与部を介し付与する有価価値であり、前記第２の金額の入力を受け付ける入力受付部を更に備え、前記取得部は、前記入力受付部を介し、前記第２の金額を取得することを特徴とする。
【００１２】
また、本発明は、上記発明において、前記記録媒体に対し付与する有価価値、又は、前記払出部を介し払い出す現金の金額の少なくとも一つについての承認操作を受け付けるための承認受付部を更に備え、前記制御部は、前記承認受付部を介して前記承認操作を受け付けたことを条件に、前記付与部を介し記録媒体に対し有価価値を付与し、前記払出部を介し現金を払い出すことを特徴とする。
【００１３】
また、本発明は、上記発明において、前記記録媒体を検知する検知部を更に備え、前記制御部は、前記検知部を介し前記記録媒体を検知した場合に、前記付与部を介し、当該記録媒体に対し有価価値を付与することを特徴とする。
【００１４】
また、本発明は、上記発明において、前記制御部は、前記検知部が前記記録媒体を検知しない状態にあっては、所定の報知を行うよう報知制御することを特徴とする。
【００１５】
また、本発明は、上記発明において、当該現金処理装置は、利用者が購入する商品の商品金額も含んで電子決済を行うことが可能であることを特徴とする。
【００１６】
また、本発明は、電子決済に応じ、現金を払い出すための処理を行う現金処理システムにおいて、第１の取引に関する金額である第１の金額と、第２の取引に関する金額である第２の金額と、を取得する取得部と、記録媒体に有価価値を付与する付与部と、前記現金を払い出す払出部と、前記取得部が取得した第１の金額および第２の金額に基づき、前記付与部を介し前記記録媒体に対し付与する有価価値と、前記払出部を介し払い出す現金の金額と、を制御する制御部とを備えることを特徴とする。
【００１７】
また、本発明は、電子決済に応じ、現金を払い出すための処理を行う現金処理方法であって、第１の取引に関する金額である第１の金額と、第２の取引に関する金額である第２の金額と、を取得する取得ステップと、前記取得ステップで取得した第１の金額および第２の金額に基づき、記録媒体に対し付与する有価価値と、払い出す現金の金額と、を制御する制御ステップと、前記制御ステップによる制御に基づき前記記録媒体に有価価値を付与する付与ステップと、前記制御ステップによる制御に基づき前記現金を払い出す払出ステップとを含むことを特徴とする。
【００１８】
また、本発明は、電子決済に応じ、現金を払い出すための処理をコンピュータに実行させる現金処理プログラムであって、第１の取引に関する金額である第１の金額と、第２の取引に関する金額である第２の金額と、を取得する取得手順と、前記取得手順で取得した第１の金額および第２の金額に基づき、記録媒体に対し付与する有価価値と、払い出す現金の金額と、を制御する制御手順と、前記制御手順による制御に基づき前記記録媒体に有価価値を付与する付与手順と、前記制御手順による制御に基づき前記現金を払い出す払出手順とをコンピュータに実行させることを特徴とする。
【発明の効果】
【００１９】
本発明によれば、効率的な操作が可能な現金処理装置、現金処理システム、現金処理方法及び現金処理プログラムを提供することができる。
【図面の簡単な説明】
【００２０】
【図１】図１は、本実施例に係る現金処理装置の概念を説明するための説明図である。
【図２】図２は、ＰＯＳレジ及び釣銭機の外観構成を示す外観構成図である。
【図３】図３は、ＰＯＳレジ及び釣銭機の機能構成を示す機能ブロック図である。
【図４】図４は、紙幣処理ユニットの構成を示す構成図である。
【図５】図５は、硬貨処理ユニットの構成を示す構成図である。
【図６】図６は、ＰＯＳレジがキャッシュアウトとチャージを行う場合の処理手順を示すフローチャートである。
【図７】図７は、デビット決済に係る処理手順の説明図である。
【図８】図８は、金額の入力を受け付ける入力画面の具体例についての説明図である。
【図９】図９は、払出金額及びチャージ金額を表示し、顧客の承認操作を受け付ける承認受付画面の具体例についての説明図である。
【図１０】図１０は、処理金額制御部による金額の決定についての説明図である。
【発明を実施するための形態】
【実施例】
【００２１】
以下、添付図面を参照して、本実施例に係る現金処理装置、現金処理システム、現金処理方法及び現金処理プログラムの好適な実施例を詳細に説明する。本実施例では、コンビニエンスストアやスーパーマーケット等の店内に配設された現金処理装置に本発明を適用した場合を示すこととする。
【００２２】
＜本発明に係る現金処理装置の概念＞
図１は、本実施例に係る現金処理装置の概念を説明するための説明図である。コンビニエンスストアやスーパーマーケット等の店舗内に設置される現金処理装置は、販売時点管理機能を有する金銭登録機であるＰＯＳレジ２０と、顧客から店員が受け取った現金に応じた釣銭を出金すると共に受け取った現金を収納する釣銭機３０とを接続した構成を有する。
【００２３】
ＰＯＳレジ２０は、顧客による商品の購入に伴って取引処理を実行する。具体的には、まず、ＰＯＳレジ２０は、顧客が購入する商品データの入力を受け付けて、商品の価格の合計である購入金額を算定する。また、釣銭機３０は、顧客から店員が受け取った貨幣の投入を受け付け、その合計金額を投入貨幣金額としてＰＯＳレジ２０に通知する。ＰＯＳレジ２０は、投入貨幣金額が購入金額を超える場合には、釣銭機３０に釣銭の払い出しを行わせる。
【００２４】
また、ＰＯＳレジ２０は、デビット端末としての機能を有しており、店舗１０の外部の管理サーバ１００と通信し、デビット決済に係る処理を実行することができる。さらに、ＰＯＳレジ２０は、ＩＣカードに関連付けられた電子マネーによる決済と、電子マネーの加算（チャージ）が可能である。
【００２５】
デビット決済とは、金融機関等の預金口座に対応付けられたデビットカードを用い、預金口座から決済金額を引き落とすことで行う決済である。顧客が商品の購入を行う場合には、購入金額が決済金額となる。
【００２６】
また、本実施例に係る現金処理装置は、商品の購入にデビット決済を用いる他、デビット決済を現金の引き出し、すなわちキャッシュアウトに用いることを可能としている。
【００２７】
さらに、現金処理装置は、キャッシュアウトと同時に電子マネーのチャージを行う場合には、キャッシュアウト金額とチャージ金額の合計を決済金額としてデビット決済を行い、キャッシュアウトにかかる現金の払い出しと電子マネーのチャージを行うことができる。
【００２８】
具体的には、まず、ＰＯＳレジ２０は、キャッシュアウト金額の入力を受け付けるとともに（Ｓ１）、チャージ金額の入力を受け付ける（Ｓ２）。そして、利用者である顧客の提示したデビットカードからデビットカードＩＤを読み取り（Ｓ３）、デビットカードＩＤと決済金額とを含む決済要求を管理サーバ１００に送信する（Ｓ４）。
【００２９】
管理サーバ１００は、ＰＯＳレジ２０から決済要求を受信すると、デビットカードＩＤに対応付けられた預金口座から決済金額の引き落しが可能であるか否かを判定する。決済金額の引き落としが可能であれば、決済金額を預金口座から引き落とし、決済許可をＰＯＳレジ２０に送信する（Ｓ５）。
【００３０】
ＰＯＳレジ２０は、管理サーバ１００から決済許可を受信すると、電子マネーのチャージと現金の払い出しを行う。電子マネーのチャージは、ＰＯＳレジ２０の所定位置に載置されたＩＣカードをチャージ先として実行する（Ｓ６）。現金の払い出しは、釣銭機３０にキャッシュアウト金額分の出金指示を送信し（Ｓ７）。釣銭機３０が出金指示を受けて現金を払い出すことで行われる（Ｓ８）。
【００３１】
図１では、キャッシュアウト金額とチャージ金額を直接入力し、合計金額を決済金額とする例を示したが、金額の指定は任意に行うことができる。例えば、決済金額とチャージ金額の指定を受けたならば、決済金額とチャージ金額の差分をキャッシュアウト金額とすることができる。すなわち、ＰＯＳレジ２０は、キャッシュアウト金額、チャージ金額及び決済金額のうち、２つの金額を取得すれば、ＩＣカードに付与する有価価値であるチャージ金額と、釣銭機３０から払い出す現金の金額とを制御することができる。
【００３２】
このように、現金処理装置は、第１の金額と第２の金額とを取得し、第１の金額および第２の金額に基づいてＩＣカードに付与する電子マネーのチャージ金額と、釣銭機３０から払い出す現金の金額と、を制御する。このため、キャッシュアウトとともに電子マネーのチャージを行う場合であっても効率的な操作が可能である。
【００３３】
なお、第１の金額や第２の金額は、ＰＯＳレジ２０の操作者である店員が入力することとしてもよいが、金額を示すコード（例えばＱＲコード（登録商標））を含んだカードをレジ横等に設置しておき、顧客が指定したカードの読取操作を店員が行う構成としてもよい。また、顧客用の表示操作部により顧客が金額の入力操作を行う構成であってもよい。さらに、キャッシュアウト金額はカードにより指定し、チャージ金額は顧客が表示操作部により行うなど、金額毎に異なる入力手段を用いてもよい。
【００３４】
＜装置の構成＞
次に、各装置の構成について説明する。図２は、ＰＯＳレジ２０及び釣銭機３０の外観構成を示す外観構成図である。図２に示すように、ＰＯＳレジ２０は、操作者用の表示部２１ａ、顧客用の表示部２１ｂ、操作キー等の操作部２１ｃ及びバーコードリーダ２２を有する。
【００３５】
釣銭機３０は、紙幣処理ユニット４０と、紙幣処理ユニット４０の隣に並ぶよう配置された硬貨処理ユニット５０とを備えており、紙幣処理ユニット４０及び硬貨処理ユニット５０の上方にＰＯＳレジ２０を載置することができる。
【００３６】
紙幣処理ユニット４０は、紙幣の入出金処理を行うユニットであり、紙幣挿入口４１ａ及び紙幣払出口４２ａを有する。また、紙幣処理ユニット４０は、後述する出金リジェクト部４３及びカセット装着部４４を有する。
【００３７】
硬貨処理ユニット５０は、硬貨の入出金処理を行うユニットであり、硬貨投入口５１及び硬貨払出口５５を有する。さらに、硬貨処理ユニット５０は、釣銭機３０の表示操作部５６が設けられている。
【００３８】
図３は、ＰＯＳレジ２０及び釣銭機３０の機能構成を示す機能ブロック図である。図３に示すように、ＰＯＳレジ２０は、表示操作部２１、バーコードリーダ２２、ＩＣカードリーダ２３ａ、決済カードリーダ２３ｂ、印字部２４、通信部２５及びＰＯＳ制御部２６を有する。
【００３９】
表示操作部２１は、表示部２１ａ、表示部２１ｂ及び操作部２１ｃによって操作者や顧客に対する情報出力と、操作者からの入力受付とを行う。バーコードリーダ２２は、商品に付されたバーコードを読み取ることで商品の名称や価格等の情報を取得することができる。また、バーコードリーダ２２は、引出金額を示すキャッシュアウト用のカードの読取にも用いられる。ＩＣカードリーダ２３ａは、ＩＣカードカードを載置可能となっており、載置されたＩＣカードに関連付けられた電子マネーによる決済や、電子マネーのチャージなどに用いられる。決済カードリーダ２３ｂは、クレジットカードやデビットカード等のペイメントカードによる精算時に用いられる。
【００４０】
印字部２４は、取引内容を印字したレシートの発行に用いられる。レシートに印字される取引内容は、例えば日時、登録された商品の名称、価格、投入された貨幣の金額、釣銭の金額などである。通信部２５は、釣銭機３０、管理サーバ１００などとの通信を行う通信インタフェースである。
【００４１】
ＰＯＳ制御部２６は、ＰＯＳレジ２０を全体制御する制御部であり、購入商品登録部２６ａ、購入金額算定部２６ｂ、決済処理部２６ｃ、金額指定情報取得部２６ｄ、処理金額制御部２６ｅ、現金払出処理制御部２６ｆ及びチャージ処理制御部２６ｇを有する。実際には、これらの機能部に対応するプログラムを図示しないＲＯＭや不揮発性メモリに記憶しておき、これらのプログラムをＣＰＵ（Central Processing Unit）にロードして実行することにより、購入商品登録部２６ａ、購入金額算定部２６ｂ、決済処理部２６ｃ、金額指定情報取得部２６ｄ、処理金額制御部２６ｅ、現金払出処理制御部２６ｆ及びチャージ処理制御部２６ｇにそれぞれ対応するプロセスを実行させることになる。
【００４２】
購入商品登録部２６ａは、購入対象となる商品の登録を行う処理部である。具体的には、バーコードリーダ２２が商品に付されたバーコードを読み取って商品の名称や価格等の情報を取得した場合に、購入商品登録部２６ａは、取得された情報を用いて商品の登録を行い、登録した商品を表示部２１ａなどに表示する。
【００４３】
購入金額算定部２６ｂは、購入商品登録部２６ａにより登録された全ての商品の価格を合計することで購入金額を算定し、表示部２１ａなどに表示する処理を行う。
【００４４】
決済処理部２６ｃは、購入金額算定部２６ｂにより購入金額が算定されたならば、購入金額の決済を行って取引を完了し、レシートの発行を行う。購入金額の決済を現金により行う場合には、決済処理部２６ｃは、釣銭機３０に購入金額を送信し、釣銭機３０が受け付けた貨幣の合計金額を受信し、必要に応じて釣銭分の貨幣の出金指示を釣銭機３０に送信して決済を完了する。
【００４５】
購入金額の決済は、電子決済により行なうことも可能である。例えば、決済カードリーダ２３ｂによりデビットカードＩＤを読み取って、暗証番号等の認証データを受け付けたならば、決済処理部２６ｃは、購入金額を決済金額として、決済金額、デビットカードＩＤ及び認証データを含む決済要求を管理サーバ１００に送信することでデビット決済を行う。
【００４６】
同様に、決済カードリーダ２３ｂによりクレジットカードＩＤを読み取って、暗証番号等の認証データを受け付けたならば、決済処理部２６ｃは、購入金額を決済金額として、クレジットカードＩＤ、認証データ及び決済金額を含む決済要求を所定のサーバに送信することでクレジット決済を行う。また、ＩＣカードリーダ２３ａにＩＣカードが載置され、電子マネー決済が選択されたならば、ＩＣカードに関連付けられた電子マネーの残高から購入金額分を減算することで電子マネー決済を行う。
【００４７】
さらに、決済処理部２６ｃは、購入金額の決済の他、キャッシュアウトに係る決済を行なうことも可能である。キャッシュアウトに係る決済を行う場合には、後述する処理金額制御部２６ｅが決済金額を決定する。例えば、デビット決済によりキャッシュアウトを行う場合には、処理金額制御部２６ｅが決定した決済金額、デビットカードＩＤ及び認証データを含む決済要求を管理サーバ１００に送信することでデビット決済を行うことになる。
【００４８】
金額指定情報取得部２６ｄは、キャッシュアウトやチャージに関する金額を指定する情報を取得する処理部である。キャッシュアウトやチャージに関する金額を指定する情報としては、キャッシュアウト金額、チャージ金額及び決済金額のうち、２つの金額を取得すればよい。この２つの金額を便宜上、第１の金額及び第２の金額という。
【００４９】
第１の金額や第２の金額は、ＰＯＳレジ２０の操作者である店員が表示操作部２１により入力することができる。また、金額を示すコードを含んだカードをレジ横等に設置しておき、顧客が指定したカードをバーコードリーダ２２により読み取ることも可能である。さらに、顧客用の表示操作部としてタッチパネルディスプレイなどを設ければ、顧客が金額の入力操作を行うことができる。なお、例えば、キャッシュアウト金額はカードにより指定し、チャージ金額は顧客が表示操作部により行うなど、第１の金額と第２の金額を異なる入力手段で受け付けてもよい。
【００５０】
処理金額制御部２６ｅは、第１の金額及び第２の金額に基づき、決済金額、キャッシュアウト金額及びチャージ金額の３つの金額を決定する処理部である。ここで、決済金額、キャッシュアウト金額及びチャージ金額は、
決済金額＝キャッシュアウト金額  ＋  チャージ金額
の関係を満たす。なお、キャッシュアウトについて手数料を徴収する場合には、
決済金額＝キャッシュアウト金額  ＋  チャージ金額  ＋  手数料
となる。
【００５１】
ここで、釣銭機３０の貨幣の在高が不足すると、キャッシュアウト金額分の出金が行えない事態が生じる。そこで、処理金額制御部２６ｅは、釣銭機３０から貨幣の在高を取得する機内在高確認処理を行い、キャッシュアウト金額分の現金を払い出し可能であるか否かを判定する。
【００５２】
判定の結果、キャッシュアウト金額分の現金を払い出すことができない場合には、機内在高が不足する旨の報知を行い、金額の変更を求める。
【００５３】
または、払い出しができない分については、チャージ金額に追加してもよい。この場合には、決済金額は変わらず、キャッシュアウト金額及びチャージ金額が変更されることで、キャッシュアウト金額が払い出し可能な範囲内となる。
【００５４】
もしくは、チャージ金額への追加を行わず、払い出し可能な分の現金を払い出すこととしてもよい。この場合には、チャージ金額は変わらず、決済金額及びキャッシュアウト金額が変更されることでキャッシュアウト金額が払い出し可能な範囲内となる。
【００５５】
また、電子マネーのチャージを行う場合に、チャージ先となるＩＣカードがＩＣカードリーダ２３ａに載置されていないと、チャージを行うことができない。そこで、処理金額制御部２６ｅは、ＩＣカードリーダ２３ａがＩＣカードを検知したか否かを判定し、ＩＣカードを検知できない場合には、ＩＣカードの載置を促す報知を行う。または、ＩＣカードが検知できない場合には、チャージ金額分を現金で払い出すことができるように構成してもよい。具体的には「ＩＣカードが検知できません。チャージ金額も現金で払い出しますか？」などのメッセージを顧客に対して表示し、「はい」「いいえ」などの確認入力を受け付ければよい。もしくは、ＩＣカードを検知できない場合には、電子決済をキャンセルすることとしてもよい。
【００５６】
処理金額制御部２６ｅは、キャッシュアウト金額分の貨幣が払い出し可能であり、チャージ先となるＩＣカードが検知できたならば、払出金額及びチャージ金額を表示し、顧客の承認操作を受け付ける承認受付処理を行う。そして、商品操作を受け付けたならば、決定した決済金額を決済処理部２６ｃに出力して決済を要求する。そして、決済が適正に完了したならば、キャッシュアウト金額を現金払出処理制御部２６ｆに出力し、チャージ金額をチャージ処理制御部２６ｇに出力する。
【００５７】
現金払出処理制御部２６ｆは、処理金額制御部２６ｅがキャッシュアウト金額を出力したならば、キャッシュアウト金額分の出金指示を釣銭機３０に送信することで、現金払出処理の制御を行う。
【００５８】
チャージ処理制御部２６ｇは、処理金額制御部２６ｅがチャージ金額を出力したならば、ＩＣカードリーダ２３ａを介してＩＣカードにチャージ金額分の電子マネーを付与することで、チャージ処理の制御を行う。
【００５９】
釣銭機３０は、紙幣処理ユニット４０及び硬貨処理ユニット５０で構成されている。紙幣処理ユニット４０は、紙幣を金種別に収納するユニットであり、硬貨処理ユニット５０は硬貨を金種別に収納するユニットである。
【００６０】
紙幣処理ユニット４０は、通信部４９ａ、紙幣受入部４１、周回搬送部４５、紙幣識別部４６、紙幣収納部４７、出金リジェクト部４３、紙幣払出部４２、カセット装着部４４、紙幣記憶部４８及び紙幣釣銭制御部４９を備えている。通信部４９ａは、通信線を通して硬貨処理ユニット５０とのデータ通信を行うためのインタフェース部である。紙幣処理ユニット４０はＰＯＳレジ２０と直接通信線で接続されていないが、硬貨処理ユニット５０を経由することによってＰＯＳレジ２０と通信することができるよう構成されている。
【００６１】
紙幣記憶部４８は、フラッシュメモリ等の不揮発性メモリ又はハードディスク装置等の二次記憶媒体等からなる記憶デバイスであり、紙幣在高データ４８ａを記憶する。
【００６２】
紙幣在高データ４８ａは、紙幣処理ユニット４０に収納されている紙幣の金種別の数量である収納在高と、出金可能な紙幣の金種別の数量である出金可能在高とを示すデータである。例えば、搬送異常等が発生した場合には、該当の紙幣は収納在高には含まれるが、出金可能在高には含まれない。具体例として、一万円札の収納在高１００枚であるときに、３回の重送が発生したならば、出金可能在高は「１００枚−２枚×３回＝９４枚」となる。また、認識不良により識別できなかった紙幣や、収納部等の容量を超えたなどに理由により繰り出し不能な領域に収納された紙幣も出金可能在高には含まれない。
【００６３】
紙幣釣銭制御部４９は、紙幣処理ユニット４０を制御する制御部であり、入金処理部４９ｂ及び出金処理部４９ｃを有する。
【００６４】
入金処理部４９ｂは、紙幣の入金処理を行う処理部である。入金処理部４９ｂは、ＰＯＳレジ２０から購入金額を受信した場合に、紙幣処理ユニット４０に対する紙幣の挿入を許可する。
【００６５】
その後、入金処理部４９ｂは、紙幣処理ユニット４０から挿入された紙幣の金種別の枚数を取得し、挿入された紙幣の合計金額を算定し、硬貨処理ユニット５０の通信部４９ａを介してＰＯＳレジ２０に通知を送信する。
【００６６】
出金処理部４９ｃは、紙幣の出金処理を行う処理部である。具体的には、出金処理部４９ｃは、硬貨処理ユニット５０の通信部５９ａを介してＰＯＳレジ２０から出金指示を受けた場合に、出金指示に示された金額に応じて払い出すべき金種と枚数を決定し、紙幣の出金処理を行う。そして、釣銭の出金が正常に終了した場合には、硬貨処理ユニット５０の通信部５９ａを介してＰＯＳレジ２０に通知する。
【００６７】
硬貨処理ユニット５０は、通信部５９ａ、硬貨投入口５１、入金硬貨搬送部５２、硬貨識別部５２ａ、硬貨収納部５３、出金硬貨搬送部５４、硬貨払出口５５、表示操作部５６、硬貨記憶部５８及び硬貨釣銭制御部５９を備えている。通信部５９ａは、通信線を通してＰＯＳレジ２０及び紙幣処理ユニット４０とのデータ通信を行うためのインタフェース部である。
【００６８】
硬貨記憶部５８は、フラッシュメモリ等の不揮発性メモリ又はハードディスク装置等の二次記憶媒体等からなる記憶デバイスであり、硬貨在高データ５８ａを記憶する。硬貨在高データ５８ａは、硬貨処理ユニット５０に収納されている硬貨の金種別の数量である収納在高と、出金可能な硬貨の金種別の数量である出金可能在高とを示すデータである。例えば、搬送異常等が発生した場合には、該当の硬貨は収納在高には含まれるが、出金可能在高には含まれない。
【００６９】
硬貨釣銭制御部５９は、硬貨処理ユニット５０を制御する制御部であり、入金処理部５９ｂ及び出金処理部５９ｃを有する。
【００７０】
入金処理部５９ｂは、硬貨の入金処理を行う処理部である。入金処理部５９ｂは、ＰＯＳレジ２０から購入金額を受信した場合に、硬貨処理ユニット５０に対する硬貨の投入を許可する。
【００７１】
その後、入金処理部５９ｂは、硬貨処理ユニット５０に投入された硬貨の金種別の枚数を取得し、投入された硬貨の合計金額を算定し、ＰＯＳレジ２０に通知を送信する。
【００７２】
出金処理部５９ｃは、硬貨の出金処理を行う処理部である。具体的には、出金処理部５９ｃは、ＰＯＳレジ２０から出金指示を受けた場合に、出金指示に示された金額に応じて払い出すべき金種と枚数を決定し、硬貨の出金処理を行う。そして、出金が正常に終了した場合には、ＰＯＳレジ２０に通知する。
【００７３】
次に、紙幣処理ユニット４０及び硬貨処理ユニット５０の詳細について説明する。図４は、紙幣処理ユニット４０の構成を示す構成図である。図４に示すように、紙幣処理ユニット４０は、紙幣受入部４１と、紙幣払出部４２と、出金リジェクト部４３と、カセット装着部４４と、周回搬送部４５と、紙幣識別部４６と、金種別の紙幣収納部４７とを有する。
【００７４】
紙幣受入部４１は、紙幣挿入口４１ａに対する紙幣の投入を受け付け、１枚ずつ周回搬送部４５に繰り出す処理部である。紙幣払出部４２は、周回搬送部４５から１枚ずつ搬送された紙幣を一時的に貯留し、払い出すべき全ての紙幣が揃った場合に紙幣払出口４２ａから投出することで紙幣を払い出す処理部である。
【００７５】
出金リジェクト部４３は、金種が識別できない等、出金に適さない紙幣を内部に集積する。例えば、出金処理時において紙幣収納部４７から繰り出された紙幣のうち、重送や斜行等の搬送異常により紙幣識別部４６で識別することができなかった紙幣は出金リジェクト部４３に搬送される。なお、紙幣受入部４１から取り込まれた紙幣のうち、入金処理時において汚損等により紙幣識別部４６で識別することができなかった紙幣は、入金リジェクト紙幣として紙幣払出部４２に返却される。
【００７６】
カセット装着部４４は、売上金の回収や釣銭の補充に用いる紙幣カセット６０を着脱可能である。
【００７７】
複数の紙幣収納部４７は、それぞれ対応する金種が設定されており、設定された金種の紙幣を収納するとともに、収納されている紙幣を１枚ずつ繰出可能である。
【００７８】
周回搬送部４５は、中央に周回搬送路を有しており、紙幣受入部４１、紙幣払出部４２、出金リジェクト部４３、カセット装着部４４及び複数の紙幣収納部４７と周回搬送路との間には接続搬送路が設けられている。また、周回搬送路には、紙幣の金種、真偽、正損、表裏、搬送状態等の識別を行う紙幣識別部４６が設けられている。
【００７９】
周回搬送部４５は、図４における時計回りの方向及び反時計回りの方向に周回搬送路を回転駆動することで、紙幣を１枚ずつ搬送することができる。具体的には、紙幣を紙幣収納部４７に収納する場合には、周回搬送路を図４における時計回りに回転駆動し、紙幣を紙幣収納部４７から繰り出す場合には、周回搬送路を図４における反時計回りに回転駆動することになる。この回転駆動の制御に加え、周回搬送路と各接続搬送部との間で紙幣の搬送経路を切り換えることで、周回搬送部４５は、紙幣の搬送先を制御する。
【００８０】
図５は、硬貨処理ユニット５０の構成を示す構成図である。図５に示すように、硬貨処理ユニット５０は、硬貨投入口５１、入金硬貨搬送部５２、金種別の硬貨収納部５３、出金硬貨搬送部５４及び硬貨払出口５５を有する。また、入金硬貨搬送部５２には硬貨識別部５２ａが設けられている。
【００８１】
入金硬貨搬送部５２は、硬貨投入口５１に投入された硬貨を１層１列状態で１枚ずつ筐体内に取り込む。具体的には、入金硬貨搬送部５２には繰出ベルト等からなる硬貨繰出機構が設けられており、硬貨投入口５１に対する硬貨の投入を検知すると、硬貨繰出機構が駆動されることにより硬貨が１枚ずつ繰り出される。
【００８２】
硬貨識別部５２ａは、入金硬貨搬送部５２に繰り出された硬貨の金種、真偽、正損、表裏、搬送状態等の識別を行う。入金硬貨搬送部５２は、硬貨識別部５２ａの識別結果に基づいて、硬貨の搬送先を決定する。このとき、真正と識別できない、汚損があるなど、硬貨収納部５３での収納に適さない硬貨は、リジェクト硬貨として硬貨払出口５５が搬送先となる。硬貨収納部５３での収納に適する硬貨であれば、金種の識別結果に対応する硬貨収納部５３が搬送先となる。
【００８３】
複数の硬貨収納部５３は、それぞれ対応する金種が設定されており、設定された金種の硬貨を収納するとともに、収納されている硬貨を１枚ずつ出金硬貨搬送部５４に繰り出することができる。出金硬貨搬送部５４は、硬貨収納部５３から繰り出された硬貨を搬送して硬貨払出口５５に投出する。
【００８４】
＜処理の説明＞
次に、ＰＯＳレジ２０がキャッシュアウトとチャージを行う場合の処理手順について説明する。図６は、ＰＯＳレジ２０がキャッシュアウトとチャージを行う場合の処理手順を示すフローチャートである。なお、図６では、キャッシュアウト金額とチャージ金額の２つの金額を受け付ける場合を示している。
【００８５】
まず、金額指定情報取得部２６ｄは、表示操作部２１などを介し、キャッシュアウト金額の入力を受け付けるとともに（ステップＳ１０１）、チャージ金額の入力を受け付ける（ステップＳ１０２）。
【００８６】
処理金額制御部２６ｅは、キャッシュアウト金額とチャージ金額の合計を決済金額とすることで、決済金額、キャッシュアウト金額及びチャージ金額の３つの金額を決定する（ステップＳ１０３）。そして、釣銭機３０から貨幣の在高を取得する機内在高確認処理を行い（ステップＳ１０４）、キャッシュアウト金額分の現金を払い出し可能であるか否かを判定する（ステップＳ１０５）。
【００８７】
判定の結果、キャッシュアウト金額分の現金を払い出すことができないならば（ステップＳ１０５；Ｎｏ）、処理金額制御部２６ｅは、機内在高が不足していること報知する機内在高不足通知処理を行い（ステップＳ１０６）、ステップＳ１０１に移行する。
【００８８】
キャッシュアウト金額分の現金を払い出し可能であるならば（ステップＳ１０５；Ｙｅｓ）、処理金額制御部２６ｅは、ＩＣカードリーダ２３ａがＩＣカードを検知したか否かを判定する（ステップＳ１０７）。その結果、ＩＣカードを検知できない場合には（ステップＳ１０７；Ｎｏ）、ＩＣカードの載置を促す報知を行って（ステップＳ１０８）、ステップＳ１０７に移行する。
【００８９】
チャージ先となるＩＣカードが検知できたならば（ステップＳ１０７；Ｙｅｓ）、処理金額制御部２６ｅは、払出金額及びチャージ金額を表示し、顧客の承認操作を受け付ける承認受付処理を行う（ステップＳ１０９）。そして、商品操作を受け付けたならば、決定した決済金額を決済処理部２６ｃに出力して決済を要求する。
【００９０】
決済処理部２６ｃは、処理金額制御部２６ｅが決定した決済金額に基づいて電子決済処理を行う（ステップＳ１１０）。電子決済処理が適正に完了したならば、処理金額制御部２６ｅは、チャージ金額をチャージ処理制御部２６ｇに出力し、キャッシュアウト金額を現金払出処理制御部２６ｆに出力する。
【００９１】
チャージ処理制御部２６ｇは、ＩＣカードリーダ２３ａを介してＩＣカードにチャージ金額分の電子マネーを付与することで、チャージ処理の制御を行う（ステップＳ１１１）。また、現金払出処理制御部２６ｆは、キャッシュアウト金額分の出金指示を釣銭機３０に送信することで、釣銭機３０に現金払出処理を行わせ（ステップＳ１１２）、処理を終了する。
【００９２】
次に、図６に示した電子決済処理としてデビット決済を用いる場合の処理手順について説明する。図７は、デビット決済に係る処理手順の説明図である。まず、ＰＯＳレジ２０の処理金額制御部２６ｅが決済金額を決定し（ステップＳ２０１）、決済カードリーダ２３ｂがデビットカードからデビットカードＩＤを読み取り（ステップＳ２０２）、表示操作部２１などによって認証データを受け付ける（ステップＳ２０３）。そして、決済処理部２６ｃは、決済金額、デビットカードＩＤ及び認証データを含む決済要求を管理サーバ１００に送信する（ステップＳ２０４）。
【００９３】
管理サーバ１００は、ＰＯＳレジ２０から受信した決済要求に基づいて、デビット決済依頼を加盟店管理銀行の銀行サーバ１１０に送信する（ステップＳ２１１）。銀行サーバ１１０は、デビット決済依頼を受信して、デビット決済を実行する（ステップＳ２２１）。このデビット決済において、銀行サーバ１１０は、デビット決済依頼に示されたデビットカードＩＤから預金口座を特定し、デビット決済依頼に示された認証データを用いて認証を行う。銀行サーバ１１０は、認証に成功し、預金口座の残高が決済金額以上であれば、決済許可と判定する。認証に失敗した場合、若しくは預金口座の残高が決済金額に満たない場合には、銀行サーバ１１０は決済不可と判定する。銀行サーバ１１０は、決済結果を管理サーバ１００に送信する（ステップＳ２２２）。
【００９４】
管理サーバ１００は、銀行サーバ１１０から受信した決済結果をＰＯＳレジ２０に送信する（ステップＳ２１２）。ＰＯＳレジ２０は、管理サーバ１００から決済結果を受信して（ステップＳ２０５）、処理を終了する。
【００９５】
次に、金額の入力を受け付ける入力画面の具体例について説明する。図８は、金額の入力を受け付ける入力画面の具体例についての説明図である。図８に示した入力画面は、例えば顧客による操作が可能なタッチパネルディスプレイにより表示すればよい。
【００９６】
図８では、デビット決済金額と電子マネーチャージ金額について入力欄をもうけ、数字キーと確定ボタンにより任意の金額を入力可能としている。また、複数の種類（ブランド）の電子マネーからチャージ先の電子マネーを選択可能としている。具体的には、デビット決済金額の入力欄に「１００００」円が入力され、電子マネーチャージ金額の入力欄に「３０００」円が入力された状態である。また、電子マネーＡ、電子マネーＢ及び電子マネーＣからチャージ先を選択可能としている。そして、デビット決済金額「１００００」円とチャージ金額「３０００」円から求められた現金払出金額「７０００」円を表示している。
【００９７】
図９は、払出金額及びチャージ金額を表示し、顧客の承認操作を受け付ける承認受付画面の具体例についての説明図である。図９に示した承認受付画面は、例えば顧客による操作が可能なタッチパネルディスプレイにより表示すればよい。
【００９８】
図９では、「３０００円を電子マネーＢにチャージします。よろしいですか？」のメッセージと対応する２つの操作ボタン「はい」及び「いいえ」を表示するとともに、「７０００円を現金で出金します。よろしいですか？」のメッセージと対応する２つの操作ボタン「はい」及び「いいえ」を表示した状態を示している。
【００９９】
なお、図９の承認受付画面はあくまで一例であり、適宜変形が可能である。例えば、チャージの確認メッセージと出金の確認メッセージのいずれか一つを表示する画面構成であってもよい。また、チャージの確認メッセージと出金の確認メッセージの双方を表示し、一組の操作ボタン（「はい」と「いいえ」をそれぞれ１つ）を設け、１回の承認操作でチャージと出金の内容を確定する画面構成であってもよい。
【０１００】
図１０は、処理金額制御部２６ｅによる金額の決定についての説明図である。まず、第１の金額及び第２の金額として、決済金額とチャージ金額を取得した場合には、決済金額とチャージ金額は取得した金額を用い、キャッシュアウト金額は「決済金額−チャージ金額」で算定される。なお、決済金額には、手数料を加算することもできる。
【０１０１】
第１の金額及び第２の金額として、チャージ金額とキャッシュアウト金額を取得した場合には、チャージ金額とキャッシュアウト金額は取得した金額を用い、決済金額は「チャージ金額＋キャッシュアウト金額」で算定される。この決済金額には、手数料を加算することもできる。
【０１０２】
そして、第１の金額及び第２の金額として、決済金額とキャッシュアウト金額を取得した場合には、決済金額とキャッシュアウト金額は取得した金額を用い、チャージ金額は「決済金額−チャージ金額」で算定される。なお、決済金額には、手数料を加算することもできる。
【０１０３】
上述してきたように、本実施例によれば、電子決済に応じ、現金を払い出すための処理を行う現金処理装置が、第１の取引に関する金額である第１の金額と、第２の取引に関する金額である第２の金額と、を取得する。そして、第１の金額および第２の金額に基づき、付与部であるＩＣカードリーダ２３ａを介してＩＣカードに対し付与する有価価値としての電子マネーと、払出部である釣銭機３０を介し払い出す現金の金額とを制御する。
【０１０４】
このため、キャッシュアウトとともに電子マネーのチャージを行う場合であっても効率的な操作が可能である。具体的には、一度の電子決済により現金払出および電子マネーチャージが可能となり、顧客の手間の削減ができる。更に、操作者である店員の手間も削減される。更に、手間の削減により、２つの処理が迅速に行え、レジ待ちの人数も減らすことが可能となる。また、操作者は店員に限らず、顧客自身が操作する場合であっても同様の効果が得られる。
【０１０５】
なお、第２の金額としては、付与部を介し付与する有価価値を用いることができ、第２の金額の入力を受け付ける入力受付部としてタッチパネルなどを設けてもよい。
【０１０６】
また、記録媒体に対し付与する有価価値、又は、払出部を介し払い出す現金の金額の少なくとも一つについての承認操作を受け付けるための承認受付部を更に備え、承認受付部を介して承認操作を受け付けたことを条件に、付与部を介し記録媒体に対し有価価値を付与し、払出部を介し現金を払い出すことも可能である。かかる構成を用いることで、利用者にとって、意図しない金額の現金払出処理やチャージが発生することを防止できる。承認受付部としては、顧客が利用可能なタッチパネルなどを用いればよい。
【０１０７】
また、記録媒体としてのＩＣカードを検知する検知部としてＩＣカードリーダ２３ａを用い、ＩＣカードを検知した場合に、当該ＩＣカードに対し有価価値を付与することも可能である。また、ＩＣカードを検知しない状態にあっては、所定の報知を行うよう報知制御することも可能である。
【０１０８】
なお、本実施例では詳細な説明を省略したが、キャッシュアウトとチャージはいずれか一方のみ実施することも可能である。また、キャッシュアウトやチャージとともに、商品の購入を行うことも可能である。この場合には、購入金額（利用者が購入する商品の商品金額）をさらに加算して決済金額を算定し、電子決済を行えばよい。
【０１０９】
また、本実施例では、ＰＯＳレジ２０がデビット端末としての機能を有する構成を例に説明を行ったが、デビット端末としての機能を有さないＰＯＳレジにデビット端末を外部接続する構成で実施することも可能である。
【０１１０】
また、本実施例では、手数料を徴収する場合に、指定された金額に上乗せして決済を行なう構成を例示したが、指定された金額から手数料分を減算して現金払出やチャージを行う構成としてもよい。
【０１１１】
また、本実施例では、店員がＰＯＳレジ２０及び釣銭機３０を操作する構成を例示したが、釣銭機の操作を顧客が行う構成（いわゆるセミセルフレジ）や、ＰＯＳレジ２０レジ及び釣銭機の操作を顧客が行う構成（いわゆるセルフレジ）に本発明を適用してもよい。
【０１１２】
また、本実施例では、店舗に設置した現金処理装置を例に説明を行ったが、ゴルフ場や病院等の自動精算機、駅や飲食店の券売機などに本発明を適用してもよい。
【０１１３】
また、本実施例では、デビットカードとＩＣカードが別体である場合を例示したが、デビットカードとＩＣカードは一体であってもよい。また、スマートフォンなどの端末装置をデビットカードやＩＣカードとして用いる構成とすることも可能である。
【０１１４】
また、本実施例では、電子マネーをチャージする場合を例示したが、電子マネーのチャージに替えて、他の口座への入金を行なう構成として実施することも可能である。この場合には、有価価値とは入金先の口座の残高であり、記憶媒体とは入金先の金融機関の記憶装置である。
【０１１５】
また、本実施例では、電子決済の一例としてデビット決済を中心に説明を行ったが、クレジットカードを用いるクレジット決済を用いることも可能である。
【０１１６】
また、キャッシュアウトにおける金種の構成を在高に応じて変更可能に構成してもよい。例えば、キャッシュアウトの金額が紙幣のみで出金可能な金額（７０００円など）であるが、紙幣の在高が不足する場合（紙幣の在高が６０００円など）には、キャッシュアウトの金額の一部を硬貨（１０００円相当の硬貨など）で払い出す構成とすることができる。
【０１１７】
また、上記の実施例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１１８】
本発明の現金処理装置、現金処理システム、現金処理方法及び現金処理プログラムは、効率的な操作の実現に有用である。
【符号の説明】
【０１１９】
２０  ＰＯＳレジ
２１  表示操作部
２１ａ、２１ｂ  表示部
２１ｃ  操作部
２２  バーコードリーダ
２３ａ  ＩＣカードリーダ
２３ｂ  決済カードリーダ
２４  印字部
２５、４９ａ、５９ａ  通信部
２６  ＰＯＳ制御部
２６ａ  購入商品登録部
２６ｂ  購入金額算定部
２６ｃ  決済処理部
２６ｄ  金額指定情報取得部
２６ｅ  処理金額制御部
２６ｆ  現金払出処理制御部
２６ｇ  チャージ処理制御部
３０  釣銭機
４０  紙幣処理ユニット
４１  紙幣受入部
４１ａ  紙幣挿入口
４２  紙幣払出部
４２ａ  紙幣払出口
４３  出金リジェクト部
４４  カセット装着部
４５  周回搬送部
４６  紙幣識別部
４７  紙幣収納部
４８  紙幣記憶部
４８ａ  紙幣在高データ
４９  紙幣釣銭制御部
４９ｂ、５９ｂ  入金処理部
４９ｃ、５９ｃ  出金処理部
５０  硬貨処理ユニット
５１  硬貨投入口
５２  入金硬貨搬送部
５２ａ  硬貨識別部
５３  硬貨収納部
５４  出金硬貨搬送部
５５  硬貨払出口
５６  表示操作部
５８  硬貨記憶部
５８ａ  硬貨在高データ
５９  硬貨釣銭制御部
６０  紙幣カセット
１００  管理サーバ
１１０  銀行サーバ
【図１】
2020013240.tif 000003
【図２】
2020013240.tif 000004
【図３】
2020013240.tif 000005
【図４】
2020013240.tif 000006
【図５】
2020013240.tif 000007
【図６】
2020013240.tif 000008
【図７】
2020013240.tif 000009
【図８】
2020013240.tif 000010
【図９】
2020013240.tif 000011
【図１０】
2020013240.tif 000012